(57)【特許請求の範囲】
【請求項１】
水密もしくは防風織物層から構成されている衣服の通気システムであって、
下側織物層（１６）と、屋根板状オーバラップ（１８）を有する上側織物層（１４）とを有し、
前記下側織物層（１６）が前記上側織物層（１４）の前記屋根板状オーバラップ（１８）で覆われて、該該下側織物層（１６）と上側織物層（１４）との間に該屋根板状オーバラップ（１８）で覆われた通気用開口が構成され、
前記通気用開口が、可撓性で三次元に絡み合ったもしくは架橋された水密性のスペーサー材（２６）で閉鎖されており、
前記スペーサー材（２６）は、第１外縁部（２４）と該第１外縁部（２４）の反対側において第２外縁部（２８）を有する細片状をしており、
前記スペーサー材（２６）の前記第１外縁部（２４）は、前記屋根板状オーバラップ（１８）の外縁部（２０）に縫いつけられており、
前記スペーサー材（２６）の前記第２外縁部（２８）は、前記屋根板状オーバラップ（１８）で被覆された前記下側織物層（１６）の外縁部（３０）に縫いつけられており、
前記スペーサー材（２６）は、その一面側が前記下側織物層（１６）によって覆われると共に、その他面側が前記上側織物層（１４）の前記屋根板状オーバラップ（１８）によって覆われている、
ことを特徴とする衣服の通気システム。
【請求項２】
請求項１において、
前記スペーサー材（２６）が織物から構成されている、ことを特徴とする衣服の通気システム。
【請求項３】
請求項１において、
前記スペーサー材（２６）が発泡層から構成されている、ことを特徴とする衣服の通気システム。
【請求項４】
請求項１において、
前記スペーサー材（２６）がプラスチック繊維フリースから構成されている、ことを特徴とする衣服の通気システム。
【請求項５】
請求項１において、
該スペーサー材（２６）が層厚に応じて変化する孔径を有する、ことを特徴とする衣服の通気システム。
【請求項６】
請求項１において、
前記スペーサー材（２６）が、その外側表面部では目の粗い孔径を有し、その内側表面部では細かい孔径を有する、ことを特徴とする衣服の通気システム。
【請求項７】
請求項１において、
前記屋根板状オーバラップ（１８）の外縁部（２０）が、該外縁部（２０）に沿って複数カ所でもって、ロック用縫い目（３４）によって前記下側織物層（１６）に縫いつけられている、ことを特徴とする衣服の通気システム。
【請求項８】
請求項７において、
前記ロック用縫い目（３４）が水密性接着テープでその上から貼付されたりまたは内側から溶接されている、ことを特徴とする衣服の通気システム。
【請求項９】
請求項１において、
衣服を構成する前記水密もしくは防風織物層が水蒸気透過性物質によって構成されている、ことを特徴とする衣服の通気システム。
【請求項１０】
請求項１において、
２個もしくはそれ以上の通気用開口が互いに隣接して配置されている、ことを特徴とする衣服の通気システム。
【請求項１１】
請求項１において、
衣服がスポーツ用とされている、ことを特徴とする衣服の通気システム。
【発明の詳細な説明】
【０００１】
【発明の属する技術分野】
この発明は、衣服、特に好ましくは請求項１の前文に記載する防水スポーツ用衣服の通気システムに関する。本発明で使用する用語「衣服」は、この発明の枠組みの中では非常に広範な意味で使用していて、ジャケット、ズボン、シャツなどから帽子まで包含するものとする。
【０００２】
【従来の技術】
防水衣服、特に防水スポーツ用衣服は、一般に、防水になるように、更に詳細には20,000mmまでの水圧に耐えるようにコーテイングされている織物とから構成されている。特殊仕上げした高品質衣服、例えば、ゴアテックス（登録商標）、シンパテックス（登録商標）、メモテックス（登録商標）などは、蒸気透過性であり、２４時間以内に平方メートル当り10,000gまでの水蒸気を衣服の外部に導くことが可能である。この水蒸気透過性にも拘わらず、これらの防水織物は絶対気密である。このために、対応する材料で加工したジャケット、コートまたはズボンは、使用者がスポーツをしているときに非常に短時間で熱が蓄積する結果になる。このことは、身体が過熱する結果になり、特にスポーツをしているときに好ましくない作用を及ぼすことにもなる。
【０００３】
この課題はすでに認識されていて、特に外気が乾燥しているときに、例えば、ジッパーやフックと留め金の締め具などによって開放することができるような、衣服に対する種々の通気システムがすでに作成されている。多湿や雨の場合、これらの通気口は閉口しなければならない。そうしないと、腕の下に配置されることが多いその空気口を通して湿気が外部から衣服内に入ってくるからである。更に、通気用開口は、風がある場合には、身体を冷やすことになる。
【０００４】
解決法もまた知られていて、屋根板状のオーバーラップ（重ね合わせ）を通気用開口を覆う織物によって作成し、それによって、例えば、雨水が外部から透過できないにも拘わらず、水蒸気（汗）は外部に透過できるようになっている。しかしながら、この解決法もまた不都合があり、防風性が少なかったり、雨が非常に激しい場合には、通気口から湿気が透過してしまい、また、例えば、濡れたときなどには、その材料の表面が互いの上部に重なったりまたは互いに貼りついたりしたときには、屋根板状のオーバーラップが作用しなかったりする。
【０００５】
【発明が解決しようとする課題】
従って、この発明は、衣服の通気システムであって、湿気も風も外部から透過できないが、熱気や湿気を含んだ空気が身体から外部に透過でき、かつ、破損に対しても強靱である完全制御の通気が可能な通気システムを提供することを目的とする。
【０００６】
【課題を解決するための手段】
この発明によれば、この目的は、請求項１に記載する通気システムの特長を組み合わせて解決することができる。従って、この発明の衣服の通気システムは、好ましくは、防水性もしくは防風性織物から構成されていて、その織物には、織物を屋根板のようにオーバーラップすることによって覆われているが、可撓性で三次元架橋されたスペーサー材によって閉口されている空気口が設けられている。この発明による解決法は、著しく改良された身体の気候適応性を有し、それによって性能の維持もしくはスポーツをしている使用者の行動を増加させる結果になる。この改良された気候適応性は、湿気を帯びた熱たかい空気が、身体の動きと、内部の体熱と一般的にはより温度が低い外部の空気との間での自然の圧力低下とによって非常に短時間内に無制限に通気システムを通して排気されるようにして達成される。先行技術の「呼吸可能な織物」では多すぎる水蒸気を発散させるのには数時間も掛かるのに対して、この発明では、かかる水蒸気は数秒のうちに放出されてしまう。しかしながら、現在使用されているいわゆる呼吸可能な織物は、先行技術でも使用されているように気密であって、体熱および/または水蒸気の発散は一般的には限定的にだけ可能である。重要である空気交換の量は、a)メッシュの厚みによって、b)オーバーラップの平面によって制御することが可能である。
【０００７】
この発明の好ましい形態は主請求項の従属項に記載されている。
【０００８】
スぺーサー材は、リュックサックや自動車の座席などの通気システムとしてすでに使用されている、三次元のスペーサー織物、プラスチック製三次元で空気透過性のメッシュ材、から構成されているのが好ましい。この材料は、比較的薄い織物層とより厚いメッシュ構造層とを有していて、それらの両層が互いに組み合わさってユニットを形成している撥水性プラスチック材料からなっている。
【０００９】
可撓性で三次元に架橋された別のスペーサー材は、発泡層もしくはデイープフィルターとして使用されているようなプラスチック繊維フリースから構成されていてもよい。
【００１０】
本発明に使用するスペーサー材の利点はその簡便な加工能である。そのスペーサー材は、簡単に織ることができたり、リベット打ちができたり、その他それぞれの材料の層に結合することができる。
【００１１】
可撓性で三次元に架橋された別のスペーサー材は、その層の厚みに応じて変化する孔径を有していてもよい。その外表面側には粗い孔径を、その内表面側にはより細かい孔径を設けてもよい。これに関連して、最も小さい孔径は、三次元的に架橋したスペーサー材が全体に亘って蚊の防護ができるように選択するのが好ましい。
【００１２】
この発明の特に好ましい形態によれば、屋根板状（shingle-like）オーバーラップは、その外側端部をストリップ状（細片状）スペース材の第１外側端に縫いつけてもよく、そのストリップ状スペース材の第２外側端部を屋根板状オーバーラップによって被覆された織物層の外側端部に縫いつけてもよい。このようにして、スペーサー材は、その一方の側が下部織物層によって被覆されていて、その他方の側が屋根板状オーバーラップ織物層によって被覆されていてもよい。空気通気性は、この縫合技法によって確保することができる。他方、水と風とは透過することができない。スペーサー材は、衣服内側の残りの縫い目を接着テープを水密に貼付することによって水密性材料と協働させるのが好ましい。別の態様として、対応する縫い目は溶接してもよい。水密で三次元に架橋したスペーサー材は、衣服内部に接合して、屋根板状オーバーラップによって被覆されるので、雨水は非常に強い風や嵐であってもジャケット内に浸入することができない。他方、通気はスペーサー材によって制限されること無く作用する。
【００１３】
別の態様としては、ストリップ状つまり細片状（strip-like）スペーサー材は、屋根板状オーバーラップによって被覆した織物層中のスリット状通気開口中に挿入してもよい。従って、この場合、ストリップ状スペーサー材は、水密の背壁なしに加工することができる。この解決法もまた、撥水性で三次元に架橋されたスペーサー材を使用することによって非常に水密にする。
【００１４】
上記態様によるストリップ状スペーサー材は、2個またはそれ以上の通気口の形成に加えて互いに隣接して配置することもできる。この場合には、レリーフ状のストリップが、技術的な依存関係にも拘わらず、デザイン要素として作用する衣服上に形成される。この関係で、対応する通気スロットの構成はいずれであってもよい。
【００１５】
スペーサー材は広い範囲に、例えば、胸や背中、脇や腕の下などにシャツやジャケットと共に使用される。スペーサー材はデザイン要素として作用し、蚊からの保護と共に良好な通気を提供する。この形式のスポーツ用衣服は、サマースポーツ用衣服や、例えば、激しい歩行運動やハイキングのためのランニング用衣服の分野に特に適していて、また熱帯地域において通気性の良い旅行用衣服として使用することができる。
【００１６】
【発明の実施の形態】
この発明の更なる詳細と利点は図面に示す態様を参照して詳細に説明する。この発明に係る通気システムはあらゆる衣服にも使用することができる。なお、この発明では、衣服としては、例えば、ジャケット、コート、ズボン、頭飾り（headgear）などを挙げることができる。ジャケット内の通気システムは、一般的には、胸や背中、腕の下などに着けられるのに対して、ズボンでは後ろポケットの部分に着けるのが実用的である。図１に示すスポーツシャツ１０には、通気システム１２がその胸の部分にスリット状に配置されている。この態様においては、通気システムは図３および図４に示すとおりにデザインすることができる。図３に示す断面図では、例えばゴアテックス（登録商標）のような水密性織物で形成した屋根板状（shingle-like）オーバーラップ１４は、屋根板状オーバーラップ１８を形作りつつ、同一材料の下部織物層１６を被覆するように配置されている。織物層１4は、縫い目２２によって縫い合わせた外端部２０に沿って、ストリップ状（strip-like）スペーサー材２６の外端部２４に屋根板状オーバーラップ１８を形成する部分において結合されている。ストリップ状スペーサー材２６の反対側端部２８は、縫い目３２によって下部織物層１６の被覆した外部端部３０に結合される。このようにして、屋根板状オーバーラップで形成された通気用スロットは、ストリップ状スペーサー材によって完全に被覆されることになる。この態様においては、空気は、スペーサー材を通って縦方向に実質的には透過する。その撥水性によって、雨水の透過は、信頼性を持って防止でき、発汗によって生じた水蒸気は内部から外部に透過することができる。風がなくとも、外部からの空気の伝達もまた可能である。この場合には、空気は、開口を通して内部に透過することができ、それによって空気の強い伝達が起こると共に強力に冷却することもできる。
【００１７】
図３と図４に示すように、通気システムのデザインは、水蒸気が三次元メッシュ中を毛細管作用によって上昇することによって、水蒸気の透過も信頼性を持って防止されるように選択される。内部材料として水密性織物を選択することはこの課題の解決に寄与する。
【００１８】
屋根板状オーバーラップ１８がバックフリップ（back-flip）するのを防止するために、屋根板状オーバーラッピングを形成する織物層１４は、該オーバーラッピングを形成するその外側端部２０に沿ってロック用縫い目３４によって、その下部に配置された織物層１６と、その間に配設されたストリップ状スペーサー材２６とに複数の点３４で結合される。
【００１９】
図には詳細には例示されていない態様として、縫い目は水密性接着テープで貼付するかまたは内側から溶接することができる。
【００２０】
本実施態様に使用されているようなスペーサー材２６のデザインは図２に示すとおりである。本実施態様では、スペーサー織物は２層構造を有しているように示されている。他方、一方側は撥水性プラスチック材で作成された比較的薄い織物層３６によって形成されている。この織物層３６にはより厚いメッシュ構造層３８が結合して、ユニットを形成している。
【００２１】
図５には、本発明の参考用の形態が示されている。図５の形態では、縦方向に延伸するスロットが下部織物層１６に配設されていて、ストリップ状スペーサー材２６がここに詳細を示すように縫いつけられる。織物層１６の上部外側端部３０は、外部織物層１４の外側端部に縫いつけて、分離した層として形成した屋根板状オーバーラップ１８の一方の外側端部をこの縫い目に更に縫いつける。その上、屋根板状オーバーラップ１８は、その外部端部で数カ所ロック用縫い目３４によってその下部に配置した織物層１６に縫いつける。
【００２２】
図５に示すこの態様はあまり要求されない衣服部分に使用することができる。本態様においては、オーバーラッピングは、水がいずれにしても浸透できないようにどのような場合にも作成される。
【００２３】
図６、図７は、別の参考用態様を示している。たとえば、スポーツジャケット１０における通気システムは、互いに隣接して配置した複数のスリット状通気システム４０を含んでいる。これらの複数の通気システム４０は、たとえば、腕の下、胸部分もしくは肩部分に多重通気装置として配置することができる。符号４２に示した垂直型式のものは、ほぼ楔形のスペーサー材から形成されている。しかしながら、この楔形デザインは、本図に対してジャケット１０の外側では開口スロットとしか見ることができないが、残りの材料部分は衣服用材料によって被覆されている。
【００２４】
図６に示すようなスポーツジャケット１０の左側には別の通気システム４４を示している。この態様では、可撓性で三次元に架橋されたスペーサー材は、エリアル要素つまり部分要素(areal element)として、たとえばストリップ状要素４６として衣服表面に一体化される。このことは、図７に示すように、要素４６は、それぞれ端部が残りの衣服用材料に縫い付けられることを意味している。図６および図７ａに示すように、フラップ４８はこのエリアル要素４６上に配置され、エリアル要素４６を被覆することができる。フラップ４８は、例えば一方側において、対応する縫い目５０によってジャケットに縫われる。フラップ４８は、図７に示すような衣服用織物から構成されていて、上にひっくり返ったりまたは丸くなったりして、エリアル要素４６が露出してしまうことになる。この場合、特にサマー用衣服、ランニング用衣服もしくは旅行用衣服に使用するときに、良好な通気性が得られることになる。雨、水蒸気ならびに風から保護するために、フラップ４８は、エリアル要素４６上に対応させて積層される。フラップ４８は、止め金バンドもしくは互いに結合できるバンドによってそれぞれの場所に配置させることができる。ジッパーによって閉めることも考えられる。これらの結合の可能性はここでは図示していない。前図にはスポーツジャケット１０を例として参照して示したが、図８および図９においては、この発明の通気システムを使用することができる種々の衣服を示している。たとえば、図８には帽子５２が示されていて、その帽子には可撓性で三次元に架橋されたスペーサー材からなるエリアル要素４６が含まれている。この要素４６は、たとえば図７に示すように、フラップ４８によって被覆することができる。したがって、本態様では、帽子の通気は、たとえば、エリアル要素４６を露出させることによって可能である。他方、蚊の防護は比較的目の細かいスペーサー材の使用によって達成することができる。
【００２５】
図９において、スポーツ用ズボン５４は、たとえば、異なる配置のスリット状通気口４０が一体化されている衣服として示している。
【図面の簡単な説明】
【図１】この発明の通気システムを有する衣服の例示的態様としてのジャケットを示す図。
【図２】この発明に使用されるスペーサー用織物を、部分的に断面を含ませつつ三次元的に示す図。
【図３】図１のIII-III線断面図。
【図４】図３に示す通気システムの部分の部分断面斜視図。
【図５】この発明の参考用態様を示す図４に類似する斜視図。
【図６】図１の変形ジャケットを示す図。
【図７】図６のVI-VI線断面図（図７ａ）および図７ａの状態からフラップがひっくり返ってスペーサー材が露出した状態を示す図（図７ｂ）。
【図８】この発明に係る通気システムを有する衣服の別の態様としての帽子を示す図。
【図９】この発明の通気システムを有する衣服の例示的態様としてのズボンを示す図。
【符号の説明】
１０ スポーツシャツ（スポーツジャケット）
１２ 通気システム
１４ オーバーラップ
１８ オーバーラップ
２６ スペーサー材
４０ 通気システム
４２ スペーサー材
４４ 通気システム
４６ ストリップ状要素（スペーサー材）
４８ フラップ
５４ スポーツ用ズボン
【図１】
0004524067.tif 000002
【図２】
0004524067.tif 000003
【図３】
0004524067.tif 000004
【図４】
0004524067.tif 000005
【図５】
0004524067.tif 000006
【図６】
0004524067.tif 000007
【図７】
0004524067.tif 000008
【図８】
0004524067.tif 000009
【図９】
0004524067.tif 000010